(57)【要約】【課題】  速乾性及び耐衝撃性に優れ、汗の吸収と、即乾性、また抗菌及び防臭作用を向上させた武道用面防具を提供することを目的とする。【解決手段】武道用面防具の面金の後部であって、面布団の内側に位置するように設け、装着時に着用者の顔面周囲に密着して保護する内輪を設け、この内輪は、内部に低反発ポリウレタンを配して、周囲を生地で覆いキルティング加工を施してなる。【選択図】図１
2017074334.tif 000002
【特許請求の範囲】
【請求項１】
装着時に着用者の顔面を保護する面金と、
この面金の後部に取り付けられて、装着時に着用者の頭頂部及び側頭部を覆って保護する面布団と、
前記面金の後部であって、前記面布団の内側に位置するように設け、装着時に着用者の顔面周囲に密着して保護する内輪と、
前記面金の下部に取り付けられ、装着時に着用者の首部を保護する突垂れとを備えている武道用面防具であって、
前記内輪は、内部に低反発ポリウレタンを配して、周囲を生地で覆いキルティング加工を施してなることを特徴とする武道用面防具。
【請求項２】
前記内輪は、装着時に着用者の顔面周囲覆う円筒形状で構成した内輪本体と、この内輪本体の上部内側に着用者の額部に当接する天部と、この内輪本体の下部内側に着用者の顎部に当接する地部からなることを特徴とする前記請求項１記載の武道用面防具。
【請求項３】
前記内輪の内部に配した低反発ポリウレタンの反発弾性率は、２０％以下のものを選択したことを特徴とする前記請求項１乃至２記載の武道用面防具。
【発明の詳細な説明】
【技術分野】
【０００１】  本発明は、銃剣道及び剣道、逮捕術、薙刀の練習や試合の時に身に付ける、防具において、特に面防具の形成素材に関するものである。
【背景技術】
【０００２】  従来、武道用防具の形成素材には、毛布または綿を木綿布や皮革等で被覆したものにキルティング加工を施して形成したものが存在する。そして、面体や小手体の、木銃、竹刀などによる衝撃を受け易い部分を、この防具形成素材で形成することにより、装着者の頭部や腕部を衝撃から保護している。【０００３】  しかしながら、練習や試合では、大量の汗をかくものであり、特に従来の防具形成素材で形成した面防具は、綿や毛布を素材に使用しているから、汗の吸収は良好であるが、速乾性に劣るものである。よって、通常でも重量のある防具がより重くなり、装着者が動きにくいものとなるし、使用中もべたつきやヌメリ等の不快感を覚え、集中力に支障をきたすものとなる。【０００４】  また、このべたつきやヌメリ感により、装着者の肌に汗疹を生じたり、体温上昇によるめまい等、装着者の健康を損なう問題が生じる事もあった。また、使用後も、汗がなかなか乾燥せず、細菌やカビによる悪臭等が防具に発生したり、この悪臭やカビ及び湿気により、次回の使用時に、使用者は不快感を持つとともに不健康となる事があった。【０００５】  更に、防具に使用される綿や毛布の弾力性により、衝撃から装着者を保護しているが、防具が湿る事により、形成素材の弾力性が汗により弱まり、防具に期待される衝撃吸収力が減少し、装着者に強い衝撃が加わる場合もあった。【０００６】  そして、防具形成素材の乾燥しにくさを解消するために、防具形成素材を薄くして防具を形成すると、柔らか過ぎて縫製しにくかったり、型崩れし易くて、防具の耐久性が悪くなったり、衝撃吸収力が劣って、装着者の安全性を欠くものとなる。また、衝撃吸収力を向上させるために、防具形成素材を厚くして防具を形成すると、防具全体の重量が増し、装着者の活動に支障をきたすものとなるし、防具の乾燥も更に困難なものとなる。【０００７】  従来より上述の如き課題を解決しようとする当業者は、速乾性及び耐衝撃性に優れた素材で武道用防具を形成する事により、汗の吸収と拡散、乾燥を良好とし、抗菌及び防臭作用を向上させ、快適な使用を可能にするものを目指していた。そして、木銃、竹刀等による衝撃から、装着者の身体を確実に保護して安全に活動できるようにするものが提案されてきた。【０００８】  そこで提案されものが特許文献１に示されるものがあり、それによると、速乾性及び耐衝撃性に優れた素材で武道用防具を形成する事により、汗の吸収と拡散、乾燥を良好とし、抗菌及び防臭作用を向上させ、快適な使用を可能にするものである。これにより、木銃、竹刀等による衝撃から、装着者の身体を確実に保護して安全に活動できるようになるというものである。
【先行技術文献】
【特許文献】
【０００９】
【特許文献１】特公平６−７１４５３号公報
【発明の概要】
【発明が解決しようとする課題】  特許文献１で示される技術は、起毛した疎水性ポリエステル糸の外面に、吸水性エステル糸を配置して、両糸を編組する事によりポリエステル編成物を形成し、このポリエステル編成物の、吸水性エステル糸の外面に、樹脂を含浸させた羊毛フェルト板を配置するとともに、この外面に毛布を配置し、毛布の外面に被覆体を配置して形成した防具形成素材を、疎水性ポリエステル糸を肌に接触する側に配置して縫製して成るものが開示されている。【００１０】  しかしながら、特許文献１で示される武道用防具の形成素材は、汗の吸収と乾燥面で良好となるものの衝撃吸収という面では、問題があった。すなわち、本願発明者らは、使いたての新しい防具は、フィット感がないため例えば、面防具は、個々人の顔に馴染むまでに時間がかかることが問題であった。防具と顔面に隙間があると、衝撃が吸収できないばかりか、面防具の体感重量が増して、理想的な武道用面防具が得られなかった。【００１１】  本発明は上述の如き課題を解決しようとするものであって、即乾性及び耐衝撃性に優れ、汗の吸収と、また抗菌及び防臭作用を向上させた武道用面防具を提供することを目的としている。
【課題を解決するための手段】
【００１２】  本発明は上述の如き課題を解決するため、装着時に着用者の顔面を保護する面金と、この面金の後部に取り付けられて、装着時に着用者の頭頂部及び側頭部を覆って保護する面布団と、面金の後部であって、面布団の内側に位置するように設け、装着時に着用者の顔面周囲に密着して保護する内輪と、面金の下部に取り付けられ、装着時に着用者の首部を保護する突垂れとを備えている武道用面防具であって、
内輪は、内部に低反発ポリウレタンを配して、周囲を生地で覆いキルティング加工を施してなる剣道用面防具とした。【００１３】  また請求項２として、内輪は、装着時に着用者の顔面周囲覆う円筒形状で構成した内輪本体と、この内輪本体の上部内側に着用者の額部に当接する天部と、この内輪本体の下部内側に着用者の顎部に当接する地部からなり、内部を低反発ポリウレタンで構成した。【００１４】  さらに請求項３では、内輪の内部に配した低反発ポリウレタンの反発弾性率は、２０％以下のものを選択した。
【発明の効果】
【００１５】  武道用面防具において、耐衝撃性を向上させるために、弾性係数を向上させるようなものが提案されてきたが、面防具における内輪部分の内部を低反発ポリウレタンで構成することによって、着用者の装着時に内輪部分が着用者の顔面周囲と密着しフィット感が増加し、顔全体が従来に比して、奥までしっかり入り易く、面防具における面金との距離が近くになり、面防具の体感重量も軽量になる。【００１６】  また、内輪の外部が生地で内部がポリウレタンのため、汗が内部で滞留することなく、速乾性の内輪が形成でき、衛生面でも効果的な面防具を提供することができる。
【図面の簡単な説明】
【００１７】
【図１】  本発明の面防具を示す正面説明図。
【図２】  本発明の面防具の内部を示す側部説明図。
【図３】  本発明の面防具の内部装着部側の後部説明図。
【図４】  本発明の面防具の内輪を示す説明図。
【発明を実施するための形態】
【００１８】  以下、本発明に係る面防具を図１乃至４を参照しながら詳細に説明する。
図１は、本発明に係る武道用面防具１であり、例えば、銃剣道及び剣道、逮捕術、薙刀などに利用できる一実施例を示す面防具の正面説明図を示すものである。構成としては、装着時に着用者の顔面を保護する横金部２ａと台座２ｂからなる面金２と、この面金２の後部に取り付けられて、装着時に着用者の頭頂部及び側頭部を覆って保護する面布団３と、この面金２の後部であって、面布団３の内側に位置するように設け、装着時に着用者の顔面周囲に密着して保護する内輪５と、面金２の下部に取り付けられ、装着時に着用者の首部を保護する突垂れ４とを備えている剣道用面防具１において、内輪５は、内部に低反発ポリウレタンを配してなるものである。
【００１９】  本発明に係る武道用面防具１は、図４に示されるように、内輪５の内部に低反発ポリウレタンで構成し、その周囲を例えば、ポリエステルなどの合成繊維や綿などの生地で覆い、キルティング加工を施しているものである。
【００２０】  また、内輪５における最良の実施例としては、図２乃至図４に示したように、装着時に着用者の顔面周囲覆う円筒形状で構成した内輪本体５ａと、この内輪本体５ａの上部内側に着用者の額部に当接する天部５ｂと、この内輪本体５ａの下部内側に着用者の顎部に当接する地部５ｃからなるものであって、それぞれ別体で内部に低反発ポリウレタンを内包して、生地で覆いキルティング加工して構成し、その後、内輪本体５ａに対して、天部５ｂ、地部５ｃが縫い付けられ内輪５が形成される。
【００２１】  なお、内輪５の内部に配した低反発ポリウレタンの反発弾性率は２０％以下のものを使用するとよい。これにより、常識的には耐衝撃性が低下すると考えられるが、逆に装着時に着用者の顔面周囲の密着性が高まり、結果的に耐衝撃性が向上するようになる。
【００２２】  このように、装着時に着用者の顔面周囲の密着性が高まり、新しい防具であっても最初から着用者に馴染み、接地面が大きくなることから、顔全体で面を支えることができ、面防具の体感重量を減少させることができる。しかも、従来内部に綿を内包した内輪は、フィット感がないばかりか、汗を内部に滞留させ、汗を吸収した綿が固くなり、衝撃を吸収できないものであったが、本願の内輪は、汗が滞留しないばかりか、フィット感を向上させることができ、耐衝撃性に対しても、向上させることができる。
【００２３】  なお、本願実施例の面防具における内輪本体５は、着用者の顔面周囲を覆えるように、円筒形の帯状にしているが、必ずしも連続している必要はなく、分離しているものであっても良い。その際は、内輪５は、面金２の台座２ｂ又は、面布団３の内側にしっかり接続させればよい。
【００２４】  また、内輪５は、一般的な装着は、糸で縫い合わせるか、ホットメルトなどの接着剤等で固着する方法が選択されるが、例えばマジックテープ（株式会社クラレの登録商標）などで、前記面金２の後部又は、面布団３の内側に位置するように取り付けられて、取り外し自在に装着され、洗浄、乾燥しやすいようにしてもよい。
【産業上の利用可能性】
【００２５】  以上のように構成された本発明の武道用面防具は、各武道における立ち姿、所作といったところでは、防具も含めて伝統を守りながら行うべきであるが、本発明における武道用面防具は、外見的にはその伝統を壊さず、使用者においても抵抗がなく、むしろ武道本来の立ち姿、所作を十分発揮できるものを提供でき産業上きわめて有益なものとなる。
【符号の説明】
【００２６】  １・・・面防具
２・・・面金
２ａ・・・横金部
２ｂ・・・台座
３・・・面布団
４・・・突垂れ
５・・・内輪
５ａ・・・内輪本体
５ｂ・・・天部
５ｃ・・・地部
【図１】
2017074334.tif 000003
【図２】
2017074334.tif 000004
【図３】
2017074334.tif 000005
【図４】
2017074334.tif 000006